(57)【要約】【課題】第１冷媒と熱交換して冷却された空気が第２冷媒と熱交換して再び冷却される空気調和機を提供する。【解決手段】本発明に係る空気調和機は、快速冷房モードの際、第１冷媒を利用した冷房と第２冷媒を利用した快速冷房手段による冷房とを共に作動させることにより、室内空気が前記第２冷媒の快速冷房蒸発器で再び冷却されるため、必要に応じて直ちに涼しくて快適な快速冷房が可能である。【選択図】図３
2006343087.tif 000002
【特許請求の範囲】
【請求項１】
第１冷媒が圧縮される主圧縮機と、
該主圧縮機で圧縮された第１冷媒が凝縮される主凝縮器と、
該主凝縮器で凝縮された第１冷媒が膨脹される主膨張器と、
該主膨張器から吐出された第１冷媒が周囲空気と熱交換して蒸発され、第１冷媒と熱交換した空気が冷却される主蒸発器と、
該主蒸発器の第１冷媒と熱交換して凝縮された第２冷媒を利用して、前記主蒸発器で冷却された空気が再び冷却されるようにする冷房サイクルを有する快速冷房手段と、
を具備することを特徴とする空気調和機。
【請求項２】
前記快速冷房手段は、前記第２冷媒が前記主蒸発器の第１冷媒と熱交換して凝縮される快速冷房凝縮器と、
該快速冷房再凝縮器で凝縮された第２冷媒が膨脹される快速冷房膨張器と、
該快速冷房膨張器から吐出された第２冷媒が、前記主蒸発器で冷却された空気と熱交換して蒸発される快速冷房蒸発器と、
該快速冷房蒸発器で蒸発された第２冷媒が圧縮される快速冷房圧縮機と、
を具備することを特徴とする請求項１に記載の空気調和機。
【請求項３】
前記空気調和機は、一般冷房モードの際、空気が前記第１冷媒の冷房サイクルにより冷却されるようにし且つ快速冷房モードの際、空気が前記第１及び第２冷媒の冷房サイクルにより快速冷却されるようにする、制御部をさらに具備することを特徴とする請求項１に記載の空気調和機。
【請求項４】
前記第２冷媒は、前記第１冷媒と熱交換して凝縮されるように、前記第１冷媒の蒸発温度より低い蒸発温度の物質であることを特徴とする請求項１から３のいずれか一項に記載の空気調和機。
【請求項５】
前記第１冷媒はＲ‐２２冷媒であり、前記第２冷媒はＲ‐２３冷媒であることを特徴とする請求項４に記載の空気調和機。
【請求項６】
第１冷媒が圧縮される主圧縮機と、
該主圧縮機で圧縮された第１冷媒が凝縮される主凝縮器と、
該主凝縮器で凝縮された第１冷媒が膨脹される主膨張器と、
該主膨張器から吐出された第１冷媒が周囲空気と熱交換して蒸発され、第１冷媒と熱交換した空気が冷却される主蒸発器と、
該主蒸発器の第１冷媒と熱交換して凝縮された第２冷媒を利用して、前記主蒸発器で冷却された空気が再び冷却されるようにする冷房サイクルを有する快速冷房手段と、
を具備しており、
該快速冷房手段は、
前記第２冷媒が前記主蒸発器の第１冷媒と熱交換して凝縮される快速冷房凝縮器と、
該快速冷房凝縮器で凝縮された第２冷媒が、周辺空気と熱交換して再び凝縮される快速冷房再凝縮器と、
該快速冷房再凝縮器で凝縮された第２冷媒が膨脹される快速冷房膨張器と、
該快速冷房膨張器から吐出された第２冷媒が、前記主蒸発器で冷却された空気と熱交換して蒸発される快速冷房蒸発器と、
該快速冷房蒸発器で蒸発された第２冷媒が圧縮される快速冷房圧縮機と、
を具備することを特徴とする空気調和機。
【請求項７】
前記快速冷房再凝縮器は、
前記第２冷媒が流れるシンク冷媒管と、
該シンク冷媒管において前記第２冷媒が周辺空気と熱交換して凝縮されるように送風力を発生するシンク送風機と、
を具備することを特徴とする請求項６に記載の空気調和機。
【請求項８】
前記空気調和機は、一般冷房モードの際、空気が前記第１冷媒の冷房サイクルにより冷却されるようにし且つ快速冷房モードの際、空気が前記第１及び第２冷媒の冷房サイクルにより快速冷却されるようにする、制御部をさらに具備することを特徴とする請求項６または７に記載の空気調和機。
【請求項９】
前記第２冷媒は、前記第１冷媒と熱交換して凝縮されるように、前記第１冷媒の蒸発温度より低い蒸発温度の物質であることを特徴とする請求項６または７に記載の空気調和機。
【請求項１０】
前記第１冷媒はＲ‐２２冷媒であり、前記第２冷媒はＲ‐２３冷媒であることを特徴とする請求項９に記載の空気調和機。
【請求項１１】
前記空気調和機は、前記主蒸発器で冷却された空気が前記快速冷房蒸発器を順に通過して熱交換するように送風力を発生する、室内送風機をさらに具備することを特徴とする請求項６または７に記載の空気調和機。
【発明の詳細な説明】
【技術分野】
【０００１】
本発明は、空気調和機に関し、特に、第１冷媒と熱交換されて冷却された空気が第２冷媒と熱交換されて再び冷却される空気調和機に関する。
【背景技術】
【０００２】
通常、空気調和機は、室内を快適な環境にするための装置であって、室内空気を快適な温度にする冷／暖房機能だけでなく、清浄機能、除湿機能などを備える。
上記の空気調和機の様々な機能の中で冷房機能は、室内空気を冷媒と熱交換させて冷却する、次のような冷房サイクルにより行われる。
【０００３】
図１は、従来の技術に係る空気調和機の冷房サイクルを示した構成図である。
図１に示されているように、空気調和機の冷房サイクルは、気化した冷媒が高圧で圧縮される圧縮機２と、該圧縮機２で圧縮された冷媒が空気と熱交換されて低温に凝縮される凝縮器４と、該凝縮器４で凝縮された冷媒が低圧に膨脹される膨張器６と、該膨張器６で膨脹された低温、低圧の液状冷媒が空気と熱交換されて気化する蒸発器８とからなる。
【０００４】
前記圧縮機２は、１つで構成されるシングルタイプと、少なくとも２つ以上の圧縮機で構成されるマルチタイプに大別される。前記シングルタイプの圧縮機２は、負荷量に応じて圧縮容量が可変できるインバータ型と、常に圧縮容量が一定の一定速型に分けることができる。そして、前記マルチタイプの圧縮機２は、少なくとも２つ以上の圧縮機が、負荷量に応じて選択的に作動するように備えられる。
【０００５】
上記のように構成された従来の技術に係る空気調和機の冷房サイクルは、室内空気を前記蒸発器８において冷媒の気化熱により冷却し、前記蒸発器８で気化した冷媒を前記圧縮機２と、凝縮器４と、膨張器６との順に通過させながら、再び低温、低圧の液状冷媒に循環させる。
【０００６】
しかし、上記の従来の技術に係る空気調和機は、初期作動時または、暑い外部から冷房中の室内に入ってきた場合など、現在室内温度と目標室内温度との差が大きい場合、負荷量が多くて、冷房容量の急速な増加が困難であるため、直ちに涼しい風の提供が不可能であるという問題がある。
【発明の開示】
【発明が解決しようとする課題】
【０００７】
本発明は、上記従来の技術の問題点を解決するためになされたものであって、その目的は、負荷量が多い場合にも、直ちに涼しくて快適な風を提供する快速冷房が可能な空気調和機を提供することにある。
【課題を解決するための手段】
【０００８】
上記の目的を達成するため、本発明の空気調和機は、第１冷媒が圧縮される主圧縮機と、該主圧縮機で圧縮された第１冷媒が凝縮される主凝縮器と、該主凝縮器で凝縮された第１冷媒が膨脹される主膨張器と、該主膨張器から吐出された第１冷媒が周囲空気と熱交換して蒸発され更に冷媒と熱交換した空気が冷却される、主蒸発器と、該主蒸発器の第１冷媒と熱交換して凝縮された第２冷媒を利用して、前記主蒸発器で冷却された空気が再び冷却されるようにする冷房サイクルを有する快速冷房手段とを具備することを特徴とする。
【０００９】
前記快速冷房手段は、前記第２冷媒が前記主蒸発器の第１冷媒と熱交換して凝縮される快速冷房凝縮器と、該快速冷房再凝縮器で凝縮された第２冷媒が膨脹される快速冷房膨張器と、該快速冷房膨張器から吐出された第２冷媒が、前記主蒸発器で冷却された空気と熱交換して蒸発される快速冷房蒸発器と、該快速冷房蒸発器で蒸発された第２冷媒が圧縮される快速冷房圧縮機と、を具備することを特徴とする。
【００１０】
前記空気調和機は、一般冷房モードの際、空気が前記第１冷媒の冷房サイクルにより冷却されるようにし且つ快速冷房モードの際、空気が前記第１及び第２冷媒の冷房サイクルにより快速冷却されるようにする、制御部をさらに具備することを特徴とする。
【００１１】
前記第２冷媒は、前記第１冷媒と熱交換して凝縮されるように、前記第１冷媒の蒸発温度より低い蒸発温度の物質であることを特徴とする。
【００１２】
前記第１冷媒はＲ‐２２冷媒であり、前記第２冷媒はＲ‐２３冷媒であることを特徴とする。
【００１３】
また、上記の目的を達成するため、本発明の空気調和機は、第１冷媒が圧縮される主圧縮機と、該主圧縮機で圧縮された第１冷媒が凝縮される主凝縮器と、該主凝縮器で凝縮された第１冷媒が膨脹される主膨張器と、該主膨張器から吐出された第１冷媒が周囲空気と熱交換して蒸発され、冷媒と熱交換した空気が冷却される主蒸発器と、該主蒸発器の第１冷媒と熱交換して凝縮された第２冷媒を利用して、前記主蒸発器で冷却された空気が再び冷却されるようにする冷房サイクルを有する快速冷房手段とを具備しており、該快速冷房手段は、前記第２冷媒が前記主蒸発器の第１冷媒と熱交換して凝縮される快速冷房凝縮器と、該快速冷房凝縮器で凝縮された第２冷媒が、周辺空気と熱交換して再び凝縮される快速冷房再凝縮器と、該快速冷房再凝縮器で凝縮された第２冷媒が膨脹される快速冷房膨張器と、該快速冷房膨張器から吐出された第２冷媒が、前記主蒸発器で冷却された空気と熱交換して蒸発される快速冷房蒸発器と、該快速冷房蒸発器で蒸発された第２冷媒が圧縮される快速冷房圧縮機とを具備することを特徴とする。
【００１４】
前記快速冷房再凝縮器は、前記第２冷媒が流れるシンク冷媒管と、該シンク冷媒管において周辺空気と熱交換して前記第２冷媒が凝縮されるように送風力を発生するシンク送風機とを具備することを特徴とする。
【００１５】
前記空気調和機は、一般冷房モードの際、空気が前記第１冷媒の冷房サイクルにより冷却されるようにし且つ快速冷房モードの際、空気が前記第１及び第２冷媒の冷房サイクルにより快速冷却されるようにする、制御部をさらに具備することを特徴とする。
【００１６】
前記第２冷媒は、前記第１冷媒と熱交換して凝縮されるように、前記第１冷媒の蒸発温度より低い蒸発温度の物質であることを特徴とする。
【００１７】
前記第１冷媒はＲ‐２２冷媒であり、前記第２冷媒はＲ‐２３冷媒であることを特徴とする。
【００１８】
前記空気調和機は、前記主蒸発器で冷却された空気が前記快速冷房蒸発器を順に通過して熱交換するように送風力を発生する、室内送風機をさらに具備することを特徴とする。
【発明の効果】
【００１９】
本発明に係る空気調和機は、快速冷房モードの際、第１冷媒を利用した冷房と、第２冷媒を利用した快速冷房手段による冷房を共に作動させることにより、室内空気が前記第２冷媒の快速冷房蒸発器で再び冷却されるため、必要に応じて直ちに涼しくて快適な快速冷房が可能であるという効果がある。
【００２０】
また、本発明に係る空気調和機は、一般冷房モード時には、前記第１冷媒の冷房サイクルのみが運転され、快速冷房モード時には、前記第１冷媒の冷房サイクルと、第２冷媒の冷房サイクルの両方が運転されるようにして、室内負荷及びユーザの要求を満たすと共に、エネルギー効率を向上させるという効果がある。
【００２１】
また、空気調和機においては、前記第１冷媒としてＲ‐２２冷媒、前記第２冷媒としてＲ‐２３冷媒を使用することによって、前記快速冷房手段で主蒸発器の第１冷媒と快速冷房凝縮器の第２冷媒とが互いに熱交換するようにして、二元冷凍サイクルの過冷度の確保を可能にする効果がある。
【発明を実施するための最良の形態】
【００２２】
以下、添付された図面を参照して、本発明の最も好適な実施の形態を詳細に説明する。
図２は、本発明に係る空気調和機の斜視図であり、図３は、本発明に係る空気調和サイクルの系統図であり、図４は、本発明に係る空気調和機の中間熱交換器の斜視図であり、図５は、図４のＡ‐Ａの断面図であり、図６は、本発明に係る空気調和機の快速冷房蒸発器の一部を示した斜視図であり、図７は、本発明に係る空気調和サイクル線図を示したグラフである。
【００２３】
本発明に係る空気調和機は、構造的に、室内空気が低温、低圧の冷媒と熱交換して冷却される室内器５０と、該室内器５０で室内空気と熱交換する冷媒を再び低温、低圧状態に戻すようにする室外器５２と、に大別することができる。
このような構造の空気調和機は、室内空気が第１冷媒と熱交換して冷却される第１冷房サイクルと、該第１冷房サイクルにより冷却された室内空気が第２冷媒と熱交換して、さらに低い温度に再び冷却されるようにする第２冷房サイクルを有する。
【００２４】
前記第１冷房サイクルは、前記第１冷媒が圧縮される主圧縮機６０と、該主圧縮機６０で圧縮された第１冷媒が周辺に熱を発散して凝縮される主凝縮器６２と、該主凝縮器６２で凝縮された第１冷媒が膨脹される主膨張器６４と、該主膨張器６４から吐出された低温、低圧の第１冷媒が周辺の熱、すなわち室内空気の熱を吸収して蒸発される主蒸発器６６とから構成される。
【００２５】
前記主圧縮機６０は、シングルタイプまたは、マルチタイプで具備されることができ、シングルタイプの場合、インバータ型または、一定速型のいずれでも可能である。
前記主蒸発器６６は、室内空気と熱交換するように、前記室内器５０に位置する。前記主凝縮器６２は、前記第１冷媒が前記主凝縮器６２で熱を発散して凝縮するため、前記主凝縮器６２で前記第１冷媒が室内空気に熱を発散しないように、室外器５２に位置する。
【００２６】
前記のような第１冷房サイクルに採用される第１冷媒には、図７に示された空気調和サイクル線図を有する、前記主凝縮器６２での凝縮温度が４３．９℃であり、前記主蒸発器６６での蒸発温度が−１６．８℃である、Ｒ‐２２冷媒が好ましい。
【００２７】
前記第２冷房サイクルは、前記第２冷媒が圧縮される快速冷房圧縮機７０と、該快速冷房圧縮機７０で圧縮された第２冷媒が周辺に熱を発散して凝縮される快速冷房凝縮器７２と、該快速冷房凝縮器７２で凝縮された第２冷媒が膨脹される快速冷房膨張器７４と、該快速冷房膨張器７４から吐出された低温、低圧の第２冷媒が周辺の熱、すなわち前記主蒸発器６６で冷却された室内空気の熱を吸収して蒸発される快速冷房蒸発器７６とから構成される。
【００２８】
前記快速冷房圧縮機７０もまた主圧縮機６０と同様に、シングルタイプまたはマルチタイプで具備されることができ、シングルタイプの場合、インバータ型または一定速型で具備されることができる。
前記快速冷房凝縮器７２は、前記室内器５０に位置して、前記快速冷房凝縮器７２の第２冷媒が、前記主蒸発器６６の第１冷媒と熱交換して凝縮されるように備えられることができる。
以下、上記のように、前記快速冷房凝縮器７２の第２冷媒が、前記主蒸発器６６の第１冷媒と熱交換して凝縮できるように備えられた前記快速冷房凝縮器７２と主蒸発器６６とを合せて、中間熱交換器８０と言う。
【００２９】
前記中間熱交換器８０は、外側には、前記第１冷媒が流れる第１冷媒管８２が位置し、内側には、前記第２冷媒が流れるように、前記第１冷媒管８２の内部に第２冷媒管８４が位置した二重管形態で備えられることができる。
この時、前記中間熱交換器８０の二重管は、第２冷媒管８４が第１冷媒管８２と同芯となるように配管することが好ましく、前記第１冷媒と第２冷媒との流れ方向が互いに逆になるように配管できる。
【００３０】
上記の中間熱交換器８０の二重管は、前記第１冷媒と周辺空気及び前記第１冷媒と第２冷媒との間の熱交換が容易に行われるように、熱交換に良好した材質から成形されることはもちろん、周辺空気と熱交換がよく行われるように、二重管の外側に中間熱交換器熱交換フィン８６が備えられることが好ましい。
このように構成される中間熱交換器８０は、前記第２冷媒管８４を前記第１冷媒管８２の内部に位置させることによって、前記第２冷媒が前記中間熱交換器８０の周辺空気と直接熱交換しないようにする。
【００３１】
一方、前記快速冷房凝縮器７２から吐出された第２冷媒は、前記快速冷房膨張器７４で膨脹される前に、快速冷房再凝縮器７８により再び凝縮される。
前記快速冷房再凝縮器７８は、前記中間熱交換器８０の快速冷房凝縮器７２から吐出された第２冷媒が外部の暑い室外空気と熱交換して、再び凝縮されるように備えられることができる。
すなわち、前記快速冷房再凝縮器７８は、前記中間熱交換器８０の快速冷房凝縮器７２と前記快速冷房膨張器７４とそれぞれ連結されて、前記中間熱交換器８０の快速冷房凝縮器７２から吐出された第２冷媒が流れるシンク冷媒管７８ａと、該シンク冷媒管７８ａの第２冷媒が室外空気と熱交換して再び凝縮されるように、室外空気を前記シンク冷媒管７８ａに送風するシンク送風機７８ｂからなることができる。
【００３２】
上記したシンク冷媒管７８ａでは、前記シンク冷媒管７８ａの第２冷媒が熱を発散して凝縮されるので、前記シンク冷媒管７８ａの第２冷媒が室内空気に熱を発散しないように、室外器５２に設けられることが好ましい。そして、前記シンク冷媒管７８ａの外側にも、室外空気との熱交換がよく行われるように、シンク冷媒管熱交換フィンが複数個備えられることができる。
【００３３】
前記快速冷房蒸発器７６は、前記主蒸発器６６で冷却された室内空気が、直ちに前記快速冷房蒸発器７６の第２冷媒と熱交換して再び冷却されるように、前記室内器５０に位置し、前記室内空気の流れ方向において前記中間熱交換器８０の真ん前に位置することが好ましい。
前記中間熱交換器８０の真ん前に位置する快速冷房蒸発器７６は、前記第２冷媒が流れる快速冷房蒸発器の冷媒管７６ａと、該快速冷房蒸発器の冷媒管７６ａの外側に位置した複数個の快速冷房蒸発器熱交換フィン７６ｂとからなり得るが、特に、室内空気の流動抵抗が最小になるように、前記複数個の快速冷房蒸発器熱交換フィン７６ｂが、前記快速冷房蒸発器の冷媒管７６ａの長さ方向に一列に配列されることができる。
【００３４】
上述したように、第２冷房サイクルに用いられる第２冷媒は、前記中間熱交換器８０で前記第１冷媒と熱交換して凝縮されるように、その凝縮温度が前記主蒸発器６６での第１冷媒の蒸発温度より低い蒸発温度の物質でなければならないため、Ｒ‐２３冷媒が好ましい。すなわち、前記冷房サイクルに採用される第２冷媒には、図７に示された空気調和サイクル線図を有する、前記快速冷房凝縮器７２での凝縮温度が-２５．３℃であり、前記快速冷房蒸発器７６での蒸発温度が-７９．７℃であるＲ‐２３冷媒が好ましい。
【００３５】
また、前記第２冷房サイクルでは、前記中間熱交換器８０で第１冷媒が室内空気の熱だけでなく、前記快速冷房凝縮器７２の第２冷媒の熱を吸収するとしても、前記中間熱交換器８０で室内空気が冷却されるように、前記快速冷房圧縮機７０と快速冷房圧縮機７０との容量が制御される。
【００３６】
一方、前記空気調和機は、前記室内器５０に位置して且つ室内空気が吸入されて前記中間熱交換器８０と快速冷房蒸発器７６とを順に通過した後室内に再び吐出されるように送風力を発生する、室内送風機９０をさらに含むことができる。また、前記空気調和機は、前記室外器５２に位置して且つ室外空気が前記主凝縮器６２に送風されるように送風力を発生する、室外送風機９２をさらに含むことができる。
【００３７】
また、前記空気調和機は、室内空気が第１冷房サイクルによってだけ冷却される一般冷房モードまたは、室内空気が前記第１冷房サイクルによって冷却された後、前記第２冷房サイクルにより再び冷却される快速冷房モードで選択運転できるように、制御部(図示せず)をさらに含むことができる。
前記制御部は、通常、現在室内温度と目標室内温度との差に応じる負荷量またはユーザの運転モード選択に応じて、一般冷房モードまたは、快速冷房モードで運転するように制御できる。
【００３８】
以下、上記のように構成された本発明に係る空気調和機の冷房作用を説明する。
一般モード運転時には、前記第１冷房サイクルだけが稼働され、第２冷房サイクルは停止する。
すなわち、前記第１冷媒が主圧縮機６０で高圧に圧縮され、前記主圧縮機６０で高圧に圧縮された第１冷媒が、前記主凝縮器６２で前記室外送風機９２により送風された室外空気と熱交換して低温に凝縮され、前記主凝縮器６２で凝縮された第１冷媒が、前記主膨張器６４で低温、低圧に膨脹される。
【００３９】
前記主膨張器６４で膨脹された第１冷媒は、前記中間熱交換器８０の主蒸発器６６で前記室内送風機９０により送風された室内空気と熱交換して蒸発され、前記中間熱交換器８０の主蒸発器６６で前記第１冷媒と熱交換した室内空気は冷却される。
【００４０】
そして、前記第２冷房サイクルは停止した状態であるため、前記中間熱交換器８０で第１冷媒と第２冷媒との熱交換はなく、前記中間熱交換器８０で冷却された室内空気は、前記室内送風機９０により前記快速冷房蒸発器７６に送風され、前記快速冷房蒸発器７６で第２冷媒との熱交換なしで直ちに室内に吐出される。
【００４１】
一方、快速冷房モードで運転される時には、前記第１冷房サイクルと第２冷房サイクルの両方が稼働する。
すなわち、前記第１冷媒は、前記主圧縮機６０と、主凝縮器６２と、主膨張器６４と、中間熱交換器８０の主蒸発器６６との順に循環されながら、前記中間熱交換器８０の主蒸発器６６で前記室内送風機９０により送風された室内空気と熱交換して蒸発される。前記中間熱交換器８０の主蒸発器６６で室内空気は、前記第１冷媒と熱交換して冷却される。
【００４２】
また、前記第２冷媒は前記快速冷房圧縮機７０で高圧に圧縮され、前記快速冷房圧縮機７０で圧縮された第２冷媒は、前記中間熱交換器８０の快速冷房凝縮器７２で前記中間熱交換器８０の主蒸発器６６の第１冷媒と熱交換して凝縮される。
前記中間熱交換器８０の快速冷房凝縮器７２で凝縮された第２冷媒が、前記快速冷房再凝縮器７８で前記シンク送風機７８ｂにより前記快速冷房再凝縮器７８に送風された室外空気と熱交換して再び凝縮され、前記快速冷房再凝縮器７８で再び凝縮された第２冷媒は、快速冷房膨張器７４で膨脹される。
【００４３】
前記快速冷房膨張器７４で膨脹された低温、低圧の第２冷媒は、前記快速冷房蒸発器７６で前記中間熱交換器８０の主蒸発器６６で冷却された室内空気と熱交換して蒸発される。前記室内空気は、前記快速冷房蒸発器７６で前記第２冷媒と熱交換して再び冷却された後、室内に吐出される。
もちろん、快速冷房モード運転の間、前記第２冷媒もまた、前記快速冷房圧縮機７０と、快速冷房凝縮器７２と、快速冷房再凝縮器７８と、快速冷房膨張器７４と、前記快速冷房蒸発器７６とを順に循環しながら、室内を冷房する。
【００４４】
本発明に係る空気調和機は、快速冷房モードの際、第１冷媒を利用した冷房と第２冷媒を利用した快速冷房手段による冷房とを共に作動させることにより、室内空気が前記第２冷媒の快速冷房蒸発器で再び冷却されるため、必要に応じて直ちに涼しくて快適な快速冷房が可能であるという効果がある。
【００４５】
また、本発明に係る空気調和機は、一般冷房モード時には、前記第１冷媒の冷房サイクルのみが運転され、快速冷房モード時には、前記第１冷媒の冷房サイクルと、第２冷媒の冷房サイクルの両方が運転されるようにして、室内負荷及びユーザの要求を満たすと共に、エネルギー効率を向上させるという効果がある。
【００４６】
また、空気調和機においては、前記第１冷媒としてＲ‐２２冷媒、前記第２冷媒としてＲ‐２３冷媒を使用することによって、前記快速冷房手段で主蒸発器の第１冷媒と快速冷房凝縮器の第２冷媒とが互いに熱交換するようにして、二元冷凍サイクルの過冷度の確保を可能にする効果がある。
【００４７】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００４８】
【図１】従来の技術に係る空気調和サイクルの系統図である。
【図２】本発明に係る空気調和機の斜視図である。
【図３】本発明に係る空気調和サイクルの系統図である。
【図４】本発明に係る空気調和機の中間熱交換器の斜視図である。
【図５】図４のＡ‐Ａの断面図である。
【図６】本発明に係る空気調和機の快速冷房蒸発器の一部を示した斜視図である。
【図７】本発明に係る空気調和サイクル線図を示したグラフである。
【符号の説明】
【００４９】
５０    室内器
５２    室外器
６０    主圧縮機
６２    主凝縮器
６４    主膨張器
６６    主蒸発器
７０    快速冷房圧縮機
７２    快速冷房凝縮器
７４    快速冷房膨張器
７６    快速冷房蒸発器
７８    快速冷房再凝縮器
８０    中間熱交換器
９０    室内送風機
９２    室外送風機
【図１】
2006343087.tif 000003
【図２】
2006343087.tif 000004
【図３】
2006343087.tif 000005
【図４】
2006343087.tif 000006
【図５】
2006343087.tif 000007
【図６】
2006343087.tif 000008
【図７】
2006343087.tif 000009